【手続補正書】
【提出日】平成19年10月19日(2007.10.19)
【手続補正１】
【補正対象書類名】特許請求の範囲
【補正対象項目名】全文
【補正方法】変更
【補正の内容】
【特許請求の範囲】
【請求項１】
自装置の識別番号を複数備えた通信装置であって、
音楽情報を受信する音楽情報受信手段と、
前記音楽情報受信手段によって受信した音楽情報を記憶する音楽情報記憶手段と、
前記音楽情報記憶手段に記憶された音楽情報の曲の長さを短く編集するとともに、該音楽情報のファイル形式を報知音情報のファイル形式にデータ変換する音楽情報編集手段と、
前記自装置のおのおのの識別番号に基づいて、前記音楽情報編集手段によって変換された報知音情報の再生条件を設定する再生条件設定手段と、
を備えた通信装置。
【請求項２】
前記報知音情報を記憶する報知音情報記憶手段を備えた請求項１に記載の通信装置。
【請求項３】
前記報知音情報記憶手段によって記憶された報知音情報を再生する報知音情報再生手段を備えた請求項２に記載の通信装置。
【請求項４】
前記再生条件設定手段による前記再生条件の設定は、再生の順序、再生音量、再生音質、途中開始機能、最初開始機能、ネクスト機能、シャッフル機能またはプログラムプレイ機能のうちの少なくとも１つについての設定を含むことを特徴とする請求項１乃至３のいずれかに記載の通信装置。
【請求項５】
前記報知音情報は、着信音、保留音、目覚まし音または操作音のうちの少なくとも１つであることを特徴とする請求項１乃至４のいずれかに記載の通信装置。
【請求項６】
前記音楽情報記憶手段は、前記音楽情報受信手段が受信した音楽情報を専用に記憶する記憶手段であることを特徴とする請求項１乃至５のいずれかに記載の通信装置。
【請求項７】
前記音楽情報記憶手段に記憶されている音楽情報を再生する音楽情報再生手段を備えた請求項１乃至６のいずれかに記載の通信装置。
【請求項８】
前記音楽情報再生手段が音楽情報を再生させるときの再生条件を設定する音楽情報再生条件設定手段を備えた請求項７に記載の通信装置。
【請求項９】
前記音楽情報再生条件設定手段による前記再生条件の設定は、再生の順序、再生音量、再生音質、途中開始機能、最初開始機能、ネクスト機能、シャッフル機能またはプログラムプレイ機能のうちの少なくとも１つについての設定を含むことを特徴とする請求項８に記載の通信装置。
【請求項１０】
自装置の識別番号を複数備えた通信装置の通信方法であって、
音楽情報を受信する音楽情報受信ステップと、
前記音楽情報受信ステップによって受信した音楽情報を記憶する音楽情報記憶手段に記憶された音楽情報の曲の長さを短く編集するとともに、該音楽情報のファイル形式を報知音情報のファイル形式にデータ変換する音楽情報編集ステップと、
前記自装置のおのおのの識別番号に基づいて、前記音楽情報編集ステップによって変換された報知音情報の再生条件を設定する再生条件設定ステップと、
を含む通信装置の通信方法。
【請求項１１】
前記報知音情報を報知音情報記憶手段に記憶することを特徴とする請求項１０に記載の通信装置の通信方法。
【請求項１２】
前記報知音情報記憶手段によって記憶された報知音情報を再生する報知音情報再生ステップを含む請求項１１に記載の通信装置の通信方法。
【請求項１３】
前記再生条件設定ステップによる前記再生条件の設定は、再生の順序、再生音量、再生音質、途中開始機能、最初開始機能、ネクスト機能、シャッフル機能またはプログラムプレイ機能のうちの少なくとも１つについての設定を含むことを特徴とする請求項１０乃至１２のいずれかに記載の通信装置の通信方法。
【請求項１４】
前記報知音情報は、着信音、保留音、目覚まし音または操作音のうちの少なくとも１つであることを特徴とする請求項１０乃至１４のいずれかに記載の通信装置の通信方法。
【請求項１５】
前記音楽情報記憶手段は、前記音楽情報受信ステップが受信した音楽情報を専用に記憶する記憶手段であることを特徴とする請求項１０乃至１４のいずれかに記載の通信装置の通信方法。
【請求項１６】
前記音楽情報記憶手段に記憶されている音楽情報を再生する音楽情報再生ステップを含む請求項１０乃至１５のいずれかに記載の通信装置の通信方法。
【請求項１７】
前記音楽情報再生ステップが音楽情報を再生させるときの再生条件を設定する音楽情報再生条件設定ステップを含む請求項１６に記載の通信装置の通信方法。
【請求項１８】
前記音楽情報再生条件設定ステップによる前記再生条件の設定は、再生の順序、再生音量、再生音質、途中開始機能、最初開始機能、ネクスト機能、シャッフル機能またはプログラムプレイ機能のうちの少なくとも１つについての設定を含むことを特徴とする請求項１７に記載の通信装置の通信方法。
【手続補正２】
【補正対象書類名】明細書
【補正対象項目名】発明の名称
【補正方法】変更
【補正の内容】
【発明の名称】通信装置及びその通信方法
【手続補正３】
【補正対象書類名】明細書
【補正対象項目名】０００１
【補正方法】変更
【補正の内容】
【０００１】
本発明は、通信装置及びその通信方法に関する。
【手続補正４】
【補正対象書類名】明細書
【補正対象項目名】０００２
【補正方法】変更
【補正の内容】
【０００２】
携帯電話等の通信装置が記憶する音楽情報ファイルを、相手装置に送出する音声情報と併せて送出するＢＧＭとして使用するだけでなく、着信音などの報知音に使用したい場合が考えられる。報知音は通常の音楽の演奏に比べて、その特質（再生時間が短い、スピーカで聞く等）のために、通常のプレイリストの設定で音楽情報を再生する（通常は長時間再生、イヤホンで聞く）と不具合（プレイリストの曲が最後まで聴けない、再生音量の設定が合わない等）がある。
【手続補正５】
【補正対象書類名】明細書
【補正対象項目名】０００３
【補正方法】変更
【補正の内容】
【０００３】
そこで、音楽情報ファイルを編集（データの変換、曲長さの編集等）することにより通話時に演奏するBGM、保留音や、着信音、目覚まし音、操作音等の報知音として使用するようにすることが考えられる。
【手続補正６】
【補正対象書類名】明細書
【補正対象項目名】０００４
【補正方法】変更
【補正の内容】
【０００４】
一方、現在、複数の自装置の識別番号を備えている通信装置がある。しかし、例えば通信装置として、携帯電話であって、自装置の識別番号として自装置の電話番号を考えた場合、複数の自装置の電話番号を備えてはいるが、その特徴を十分に生かしたアプリケーションは皆無に等しい。
【手続補正７】
【補正対象書類名】明細書
【補正対象項目名】０００５
【補正方法】削除
【補正の内容】
【手続補正８】
【補正対象書類名】明細書
【補正対象項目名】０００７
【補正方法】変更
【補正の内容】
【０００７】
しかし、上記特許文献１に記載の技術は、通信端末間の通話データの中継において、当該通話データに別データを同士再生可能付加するものであり、音楽情報を編集して得た報知音情報を自装置が複数の識別番号を備えるという特徴に十分に活かすことのできる技術ではない。
【手続補正９】
【補正対象書類名】明細書
【補正対象項目名】０００８
【補正方法】変更
【補正の内容】
【０００８】
本発明は係る事情に鑑みてなされたものであり、音楽情報を編集して得た報知音情報を自装置が複数の識別番号を備えるという特徴に十分に活かすことのできる通信装置及びその通信方法を提供することを目的とする。
【手続補正１０】
【補正対象書類名】明細書
【補正対象項目名】０００９
【補正方法】変更
【補正の内容】
【０００９】
請求項１に記載の通信装置は、自装置の識別番号を複数備えた通信装置であって、
音楽情報を受信する音楽情報受信手段と、前記音楽情報受信手段によって受信した音楽情報を記憶する音楽情報記憶手段と、前記音楽情報記憶手段に記憶された音楽情報の曲の長さを短く編集するとともに、該音楽情報のファイル形式を報知音情報のファイル形式にデータ変換する音楽情報編集手段と、前記自装置のおのおのの識別番号に基づいて、前記音楽情報編集手段によって変換された報知音情報の再生条件を設定する再生条件設定手段と、を備えている。
【手続補正１１】
【補正対象書類名】明細書
【補正対象項目名】００１０
【補正方法】変更
【補正の内容】
【００１０】
請求項２に記載の通信装置は、請求項１に記載の通信装置において、前記報知音情報を記憶する報知音情報記憶手段を備えている。
【手続補正１２】
【補正対象書類名】明細書
【補正対象項目名】００１１
【補正方法】変更
【補正の内容】
【００１１】
請求項３に記載の通信装置は、請求項２に記載の通信装置において、前記報知音情報記憶手段によって記憶された報知音情報を再生する報知音情報再生手段を備えている。
【手続補正１３】
【補正対象書類名】明細書
【補正対象項目名】００１２
【補正方法】変更
【補正の内容】
【００１２】
請求項４に記載の通信装置は、請求項１乃至３のいずれかに記載の通信装置において、前記再生条件設定手段による前記再生条件の設定は、再生の順序、再生音量、再生音質、途中開始機能、最初開始機能、ネクスト機能、シャッフル機能またはプログラムプレイ機能のうちの少なくとも１つについての設定を含むことを特徴とする。
【手続補正１４】
【補正対象書類名】明細書
【補正対象項目名】００１３
【補正方法】変更
【補正の内容】
【００１３】
請求項５に記載の通信装置は、請求項１乃至４のいずれかに記載の通信装置において、前記報知音情報は、着信音、保留音、目覚まし音または操作音のうちの少なくとも１つであることを特徴とする。
【手続補正１５】
【補正対象書類名】明細書
【補正対象項目名】００１４
【補正方法】変更
【補正の内容】
【００１４】
請求項６に記載の通信装置は、請求項１乃至５のいずれかに記載の通信装置において、前記音楽情報記憶手段は、前記音楽情報受信手段が受信した音楽情報を専用に記憶する記憶手段であることを特徴とする。
【手続補正１６】
【補正対象書類名】明細書
【補正対象項目名】００１５
【補正方法】変更
【補正の内容】
【００１５】
請求項７に記載の通信装置は、請求項１乃至６のいずれかに記載の通信装置において、前記音楽情報記憶手段に記憶されている音楽情報を再生する音楽情報再生手段を備えている。
【手続補正１７】
【補正対象書類名】明細書
【補正対象項目名】００１６
【補正方法】変更
【補正の内容】
【００１６】
請求項８に記載の通信装置は、請求項７に記載の通信装置において、前記音楽情報再生手段が音楽情報を再生させるときの再生条件を設定する音楽情報再生条件設定手段を備えている。
【手続補正１８】
【補正対象書類名】明細書
【補正対象項目名】００１７
【補正方法】変更
【補正の内容】
【００１７】
請求項９に記載の通信装置は、請求項８に記載の通信装置において、前記音楽情報再生条件設定手段による前記再生条件の設定は、再生の順序、再生音量、再生音質、途中開始機能、最初開始機能、ネクスト機能、シャッフル機能またはプログラムプレイ機能のうちの少なくとも１つについての設定を含むことを特徴とする。
請求項１０に記載の通信方法は、自装置の識別番号を複数備えた通信装置の通信方法であって、音楽情報を受信する音楽情報受信ステップと、前記音楽情報受信ステップによって受信した音楽情報を記憶する音楽情報記憶手段に記憶された音楽情報の曲の長さを短く編集するとともに、該音楽情報のファイル形式を報知音情報のファイル形式にデータ変換する音楽情報編集ステップと、前記自装置のおのおのの識別番号に基づいて、前記音楽情報編集ステップによって変換された報知音情報の再生条件を設定する再生条件設定ステップと、を含んでいる。
請求項１１に記載の通信方法は、請求項１０に記載の通信装置の通信方法において、前記報知音情報を報知音情報記憶手段に記憶することを特徴とする。
請求項１２に記載の通信方法は、請求項１１に記載の通信装置の通信方法において、前記報知音情報記憶手段によって記憶された報知音情報を再生する報知音情報再生ステップを含んでいる。
請求項１３に記載の通信方法は、請求項１０乃至１２のいずれかに記載の通信装置の通信方法において、前記再生条件設定ステップによる前記再生条件の設定は、再生の順序、再生音量、再生音質、途中開始機能、最初開始機能、ネクスト機能、シャッフル機能またはプログラムプレイ機能のうちの少なくとも１つについての設定を含むことを特徴とする。
請求項１４に記載の通信方法は、請求項１０乃至１４のいずれかに記載の通信装置の通信方法において、前記報知音情報は、着信音、保留音、目覚まし音または操作音のうちの少なくとも１つであることを特徴とする。
請求項１５に記載の通信方法は、請求項１０乃至１４のいずれかに記載の通信装置の通信方法において、前記音楽情報記憶手段は、前記音楽情報受信ステップが受信した音楽情報を専用に記憶する記憶手段であることを特徴とする。
請求項１６に記載の通信方法は、請求項１０乃至１５のいずれかに記載の通信装置の通信方法において、前記音楽情報記憶手段に記憶されている音楽情報を再生する音楽情報再生ステップを含む。
請求項１７に記載の通信方法は、請求項１６に記載の通信装置の通信方法において、前記音楽情報再生ステップが音楽情報を再生させるときの再生条件を設定する音楽情報再生条件設定ステップを含む。
請求項１８に記載の通信方法は、請求項１７に記載の通信装置の通信方法において、前記音楽情報再生条件設定ステップによる前記再生条件の設定は、再生の順序、再生音量、再生音質、途中開始機能、最初開始機能、ネクスト機能、シャッフル機能またはプログラムプレイ機能のうちの少なくとも１つについての設定を含むことを特徴とする。
【手続補正１９】
【補正対象書類名】明細書
【補正対象項目名】００１８
【補正方法】変更
【補正の内容】
【００１８】
本発明によれば、音楽情報を編集して得た報知音情報を自装置が複数の識別番号を備えるという特徴に十分に活かすことが可能となる。
【手続補正２０】
【補正対象書類名】明細書
【補正対象項目名】００１９
【補正方法】削除
【補正の内容】
【手続補正２１】
【補正対象書類名】明細書
【補正対象項目名】００２０
【補正方法】削除
【補正の内容】
【手続補正２２】
【補正対象書類名】明細書
【補正対象項目名】００２１
【補正方法】削除
【補正の内容】
【手続補正２３】
【補正対象書類名】明細書
【補正対象項目名】００２２
【補正方法】削除
【補正の内容】
【手続補正２４】
【補正対象書類名】明細書
【補正対象項目名】００２３
【補正方法】削除
【補正の内容】
【手続補正２５】
【補正対象書類名】明細書
【補正対象項目名】００２４
【補正方法】削除
【補正の内容】
【手続補正２６】
【補正対象書類名】明細書
【補正対象項目名】００２５
【補正方法】削除
【補正の内容】
【手続補正２７】
【補正対象書類名】明細書
【補正対象項目名】００２６
【補正方法】削除
【補正の内容】